(57)【要約】      （修正有）【課題】エアコン全体を小さくし、作動時の騒音を低減することができるエアコンの配置構造を提供する。【解決手段】エアコンの配置構造は、同一の筐体内に設置されるコンプレッサ５、蒸発器１、蒸発器ファン２、コンデンサ４及びコンデンサファン３を含み、コンデンサ及びコンデンサファンは筐体の取付面の長手方向の一側に設置され、蒸発器と蒸発器ファンは筐体の取付面の長手方向の他側に設置される。コンデンサファンとコンデンサとは、筐体の取付面に対して垂直な方向に並べて配置され、かつ、その位置を互いに交換ができる。蒸発器ファンと蒸発器とは、筐体の取付面の長手方向に並べて配置され、かつ、その位置を互いに交換ができる。【選択図】図２
0003189383.tif 000002
【実用新案登録請求の範囲】
【請求項１】
エアコンの配置構造であって、
同一の筐体内に設置されるコンプレッサ、蒸発器、蒸発器ファン、コンデンサ及びコンデンサファンを含み、前記コンデンサ及び前記コンデンサファンは前記筐体の取付面の長手方向の一側に設置され、前記蒸発器と前記蒸発器ファンは前記筐体の取付面の長手方向の他側に設置される、
エアコンの配置構造。
【請求項２】
前記コンデンサファンと前記コンデンサとは、前記筐体の取付面に対して垂直な方向に並べて配置され、かつ、その位置を互いに交換ができる、
請求項１記載のエアコンの配置構造。
【請求項３】
前記蒸発器ファンと前記蒸発器とは、前記筐体の取付面の長手方向に並べて配置され、かつ、その位置を互いに交換ができる、
請求項１または２記載のエアコンの配置構造。
【考案の詳細な説明】
【技術分野】
【０００１】
本考案は、キャビネット等に取り付けるエアーコンディショナー（以下「エアコン」ともいう）に関し、特に、その配置構造に関する。
【背景技術】
【０００２】
図１は、キャビネット等に取り付ける従来のエアコンの配置構造を示す図である。従来の配置構造は、蒸発器１と蒸発器ファン２とを上下方向に並べて配置したものと、コンデンサファン３とコンデンサ４とを上下方向に並べて配置したものとを左右方向に並べて配置する方式がほとんである。
【考案の概要】
【考案が解決しようとする課題】
【０００３】
このような方式の場合、エアコンを薄くして、全体のサイズを小さくすることは困難である。また、無理に薄くすると、吸排気のために蒸発器ファン２及びコンデンサファン３の回転数を上げなければならず、騒音制御のために好ましくない。
【０００４】
本考案は、エアコン全体の小さくし、作動時の騒音を低減することができるエアコンの配置構造を提供することを目的とする。
【課題を解決するための手段】
【０００５】
上記の課題を解決するために、本考案の第一の態様によれば、エアコンの配置構造は、同一の筐体内に設置されるコンプレッサ、蒸発器、蒸発器ファン、コンデンサ及びコンデンサファンを含み、コンデンサ及びコンデンサファンは筐体の取付面の長手方向の一側に設置され、蒸発器と蒸発器ファンは筐体の取付面の長手方向の他側に設置される。
【考案の効果】
【０００６】
本考案に係るエアコンの配置構造によれば、エアコン全体を小さくし、作動時の騒音を低減することができる。
【図面の簡単な説明】
【０００７】
【図１】キャビネット等に取り付けるエアコンの従来の配置構造を示す図。
【図２】本考案の提供するエアコン配置構造の説明図。
【図３】本考案の提供するエアコン配置構造における各構成部分の様々な配置方式の構造説明図。
【図４】本考案の提供するエアコン配置構造における各構成部分の様々な配置方式の構造説明図。
【図５】本考案の提供するエアコン配置構造における各構成部分の様々な配置方式の構造説明図。
【図６】本考案の提供するエアコン配置構造における各構成部分の様々な配置方式の構造説明図。
【考案を実施するための形態】
【０００８】
以下、本考案の実施形態について説明する。なお、以下の説明に用いる図面では、同じ機能を持つ構成部には同一の符号を記し、重複説明を省略する。
【０００９】
＜第一実施形態＞
図２は、本実施形態に係るエアコンの配置構造の例を示す。本実施形態に係るエアコンの配置構造には、コンプレッサ５、蒸発器１、蒸発器ファン２、コンデンサ４及びコンデンサファン３が含まれる。これらの構成部が、同一の筐体内に効率的に設置される。要は、省スペース、かつ、低騒音を実現できるように設置される。
【００１０】
コンデンサ４とコンデンサファン３とが筐体内の上下方向の一側に設置される。蒸発器１と蒸発器ファン２とが筐体内の上下方向の他側に設置される。
【００１１】
コンデンサ４とコンデンサファン３とが左右方向に並べて配置される。蒸発器１と蒸発器ファン２とが、上下方向に並べて配置される。
【００１２】
なお、図面による説明を容易にするために、「上下方向」「左右方向」としているが、「上下方向」を「垂直方向」または「筐体の取付面の長手方向」、「左右方向」を「筐体の取付面に対して垂直な方向」と言ってもよい。
【００１３】
＜蒸発器１と蒸発器ファン２の位置関係、蒸発器ファン２の吸排気＞
図３〜図６のように、蒸発器１と蒸発器ファン２は、必要に応じて位置を互いに交換することができる。また、蒸発器ファン２は必要に応じて吸排気方式を変更することができる。
【００１４】
図３のように、蒸発器１は蒸発器ファン２の上に位置し、蒸発器ファン２の提供する循環流動の空気Ａは先に蒸発器１を経て蒸発器ファン２から排出する。
【００１５】
図４のように、蒸発器ファン２の取付方向を変えると、蒸発器ファン２の提供する循環流動の空気Ａは先に蒸発器ファン２を経て蒸発器１から排出する。
【００１６】
図５のように、蒸発器１は蒸発器ファン２の下に位置し、蒸発器ファン２の提供する循環流動の空気Ａは先に蒸発器１を経て蒸発器ファン１から排出する。
【００１７】
図６のように、蒸発器ファン２の取付方向を変えると、蒸発器ファン２の提供する循環流動の空気Ａは先に蒸発器ファン２を経て蒸発器１から排出する。
【００１８】
＜コンデンサ４とコンデンサファン３の位置関係、コンデンサファン３の吸排気＞
図３〜図６のように、コンデンサ４とコンデンサファン３は、必要に応じて位置を互いに交換することができ、コンデンサファン３は、必要に応じて吸排気方式を変更することができる。
【００１９】
図３のように、コンデンサファン３はコンデンサ４の左に位置し、コンデンサファン３の提供する循環流動の空気Ｂは先にコンデンサ４を経てコンデンサファン３から排出する。
【００２０】
図４のように、コンデンサファン３の取付方向を変えると、コンデンサファン３の提供する循環流動の空気Ｂは先にコンデンサファン３を経てコンデンサ４から排出する。
【００２１】
図５のように、コンデンサファン３はコンデンサ４の右に位置し、コンデンサファン３の提供する循環流動の空気Ｂは先にコンデンサ４を経てコンデンサファン３から排出する。
【００２２】
図６のように、コンデンサファン３の取付方向を変えると、コンデンサファン３の提供する循環流動の空気Ｂは先にコンデンサファン３を経てコンデンサ４から排出する。
【００２３】
＜効果＞
上記のように、本考案の提供する前記エアコン配置構造は、蒸発器１と蒸発器ファン２とを上下方向に並べて配置したものと、コンデンサファン３とコンデンサ４とを左右方向に並べて配置したものとを上下方向に並べて配置する方式を採用し、かつコンデンサ４とコンデンサファン３、蒸発器ファン２と蒸発器１の位置は互いに交換することができ、作動時の騒音を低減しながら、エアコン全体のサイズを小さくできる。
【００２４】
＜その他の変形例＞
本考案は上記の実施形態及び変形例に限定されるものではない。その他、本考案の趣旨を逸脱しない範囲で適宜変更が可能である。例えば、第一実施形態では、「筐体の取付面の長手方向」を上下方向（垂直方向）としているが、筐体の取付面の長手方向が左右方向（水平方向）となるように、取り付けてもよい。
【符号の説明】
【００２５】
１  蒸発器
２  蒸発器ファン
３  コンデンサファン
４  コンデンサ
５  コンプレッサ
【図１】
0003189383.tif 000003
【図２】
0003189383.tif 000004
【図３】
0003189383.tif 000005
【図４】
0003189383.tif 000006
【図５】
0003189383.tif 000007
【図６】
0003189383.tif 000008